(57)【要約】【課題】本発明は、排水を再利用し、工事量が少なく安価で、供給先の自動切換えが行なえ、ポンプの空運転を防止し、水道水への自動切換えが可能な排水再利用装置を提供することを目的とする。【解決手段】本発明の排水再利用装置は、排水、例えば浴槽１の残り水を吸い込んで供給先に供給する水中ポンプ２と、水中ポンプ２に接続される供給管６ａと、水道水供給管５に接続される供給路６ｂと、供給路６ａ，６ｂが合流される合流路６ｃと、合流路６ｃに接続され１以上の供給先にそれぞれ接続される供給先管６ｄを備え、供給路６ｂには電磁弁７が設けられるとともに、水中ポンプ２には運転を制御するコントローラ１１が設けられ、排水が所定量以下になったことが検出されると、コントローラ１１が水中ポンプ２の運転を停止し、電磁弁７を開くことを特徴とする。【選択図】        図１
2004204664.tif 000002
【特許請求の範囲】
【請求項１】
排水を貯めることができる排水槽と、前記排水槽内の排水を吸い込んで供給先に供給するポンプと、前記ポンプに接続される第１供給路と、原水路に接続される第２供給路と、前記第１供給路と前記第２供給路が合流される合流路と、前記合流路に接続され１以上の供給先にそれぞれ接続される供給先路と、前記供給先路に設けられ供給先に応じて供給の有無と供給先路を選択できる供給先選択部を備えた排水再利用装置であって、
前記第２供給路には電磁弁が設けられるとともに、前記ポンプには運転を制御する制御部が設けられ、
前記排水槽内の排水が所定量以下になったことが検出されると、前記制御部が前記ポンプの運転を停止し、前記電磁弁を開くことを特徴とする排水再利用装置。
【請求項２】
前記合流路にはフロースイッチが設けられ、前記排水槽内の排水が所定量以下になったことを該フロースイッチによって検出することを特徴とする請求項１記載の排水再利用装置。
【請求項３】
前記浴槽には水位を検出するレベルセンサが設けられ、前記排水槽内の排水が所定量以下になったことを該レベルセンサによって検出することを特徴とする請求項１記載の排水再利用装置。
【請求項４】
前記合流路に定流量弁が設けられるとともに前記制御部にはタイマが設けられ、供給先に送る流量を前記タイマが検出する時間で算出することを特徴とする請求項１〜３のいずれかに記載の排水再利用装置。
【請求項５】
前記供給先選択部が流路切換え弁であって、供給先路が指定できることを特徴とする請求項１〜４のいずれかに記載の排水再利用装置。
【請求項６】
前記制御部からの入力で供給先路と供給順が指定可能であることを特徴とする請求項５記載の排水再利用装置。
【請求項７】
前記第２供給路から分岐された給水管が設けられ、前記供給先路の少なくとも１以上の供給先に接続されていることを特徴とする請求項１〜６のいずれかに記載の排水再利用装置。
【請求項８】
原水路に接続される第２供給路に水タンクが設けられたことを特徴とする請求項１〜７のいずれかに記載の排水再利用装置。
【請求項９】
前記給水管に水タンクが設けられたことを特徴とする請求項７または８に記載の排水再利用装置。
【請求項１０】
前記排水槽が１以上の槽から構成されたことを特徴とする請求項１〜９のいずれかに記載の排水再利用装置。
【請求項１１】
前記槽にはポンプを設置した１以上の第１の槽と該第１の槽に接続されて使用される第２の槽とが含まれ、前記ポンプの吐出管がそれぞれ前記第１供給路に接続されていることを特徴とする請求項１０記載の排水再利用装置。
【請求項１２】
前記排水槽が１以上の排水源からの排水を貯めることができることを特徴とする請求項１〜１１のいずれかに記載の排水再利用装置。
【請求項１３】
前記排水源が浴槽であることを特徴とする請求項１〜１１のいずれかに記載の排水再利用装置。
【請求項１４】
前記排水槽を収容し、該浴槽の下部に前記排水槽を配設したユニットバスとして構成されたことを特徴とする請求項１３記載の排水再利用装置。
【請求項１５】
前記排水源がシンクからの排水であることを特徴とする請求項１〜１１のいずれかに記載の排水再利用装置。
【請求項１６】
前記１以上の槽が接続部を備えたユニット型の小タンクであることを特徴とする請求項１０〜１５のいずれかに記載の排水再利用装置。
【請求項１７】
前記第２供給路に設けられた前記電磁弁を迂回するバイパス路が設けられ、前記バイパス路には停電時にも操作可能な弁機構が設けられていることを特徴とする請求項１〜１６のいずれかに記載の排水再利用装置。
【請求項１８】
前記第２供給路から分岐された給水管に設けられた電磁弁を迂回するバイパス路が設けられ、前記バイパス路には停電時にも操作可能な弁機構が設けられていることを特徴とする請求項７記載の排水再利用装置。
【請求項１９】
排水を貯めることができる排水槽と、前記排水槽内の排水を吸い込んで供給先に供給するポンプと、前記ポンプと前記供給先を接続する排水供給路と、原水路と供給先を接続する原水供給路とを備え、前記原水供給路には電磁弁が設けられるとともに、前記ポンプには運転を制御する制御部が設けられ、前記排水槽内の排水が所定量以下になったことが検出されると、前記制御部が前記ポンプの運転を停止し、前記電磁弁を開く排水再利用装置であって、
前記原水供給路には、前記電磁弁を迂回するバイパス路が設けられ、前記バイパス路には停電時にも操作可能な弁機構が設けられていることを特徴とする排水再利用装置。
【発明の詳細な説明】
【０００１】
【発明の属する技術分野】
本発明は、家庭内等から排出される排水を水洗トイレの洗浄水や洗濯その他の水として再利用できる排水再利用装置に関する。
【０００２】
【従来の技術】
従来、家庭で使用する水は、浴槽水、水洗トイレの洗浄水、洗濯、炊事、打ち水等、すべて水道水や井戸水を使用している。このため水の使用量は増加する一方であり、無尽蔵とみられた水資源にも限りが見え、最近では各地で深刻な水不足が多発している。
【０００３】
こうした水不足に遭遇したとき、一番多く行われるのは浴槽の残り水を洗濯に使うことであり、残り水を水洗トイレの洗浄水に使うこともしばしば行われている。しかし、こうした排水を洗濯機等に移し替えるのはバケツを使っての手作業であり、きわめて能率が悪く、重労働を強いるものであった。
【０００４】
そこで、浴槽の残り水を洗濯機に移し替えるための汲み出し用のポンプが提案された。しかし、この汲み出し用のポンプを使うには、使用者がポンプの側にいてスイッチを入れたり切ったりしないと、オーバーフローを起こしたり、ときには残り水が少ないこともあったりして空運転してしまうことがあった。
【０００５】
また、水洗トイレの洗浄水として残り水を使うためには、バケツで残り水を運んでロータンクに注ぎ汚物を流すことが行われている。しかし、ロータンクの上蓋をとって水を注ぐ作業は大変であった。水洗トイレのロータンクに汲み出し用のポンプで洗浄水を注ぐことも考えられるが、浴槽の位置とロータンクの位置が離れており、操作が難しくなる。家の中が水浸しになることも希ではなかった。
【０００６】
そこで、従来の排水再利用装置が提案された（特許文献１参照）。これにより、排水を水洗トイレ用の洗浄水及び洗濯用水として有効に再利用し、水道水の使用量を大幅に減らすことが可能になるものであった。図９は従来の排水再利用装置の構成図である。
【０００７】
図９に示すように従来の排水再利用装置は、浴槽５１に漬けた風呂用ポンプ５４の吐出口と洗濯機５２の給水口とを接続する通路の途中に高設タンク５５を洗濯機５２の上方に設け、洗濯機５２の下方に洗濯排水を貯水する排水貯水槽５６を設け、排水貯水槽用ポンプ５８の吐出口と水洗トイレ５３のロータンク５９のボールタップ給水口とを接続する通路の途中に貯水タンク５７を設けて浴槽５１の残り水を洗濯用水及び水洗トイレ５３の洗浄水として再利用するものである。
【０００８】
しかし、この従来の排水再利用装置は、高設タンク５５や排水貯水槽５６、排水貯水槽用ポンプ５８、貯水タンク５７を設ける必要があり、工事も大掛かりで費用が莫大になるものであった。とても家庭に設置できるものでなく、集合住宅ではまず設置不能であった。
【０００９】
また、この浴槽５１の排水再利用装置は、タイマースイッチ６０によって設定ダイヤルで設定した所定の時間後に自動停止することで、使用者がポンプの側にいて目視しながらスイッチを入れたり切ったりする必要をなくしているが、供給する残り水を一時的に集めておくための高設タンク５５や、排水貯水槽５６と排水貯水槽用ポンプ５８、貯水タンク５７等の装置のどれかがなければ、オーバーフローする可能性がきわめて大である。そして、このタイマースイッチ６０だけでは、洗濯機５２から水洗トイレ５３へ、もしくは逆に水洗トイレ５３から洗濯機５２への供給を自動で切換える方式にすることは難しい。また、浴槽５１の残り水が少なかったとき空運転を防ぐには、従来同様使用者が水位を目視しなければ風呂用ポンプ５４を停止できないから、基本的には空運転を防止できないものであった。
【００１０】
そして、洗濯の水であっても、水洗トイレの洗浄水であっても、浴槽５１の残り水が少なかったときには、使用量まで水道水で補わなければ洗濯機も水洗トイレも使うことができないが、この水道水の補充への切換えが自動的にできないものであった。
【００１１】
【特許文献１】
特開平１０−２０４９４２号公報
【００１２】
【発明が解決しようとする課題】
以上説明したように、従来の排水再利用装置は、排水を水洗トイレ用の洗浄水及び洗濯用水として有効に再利用し、水道水の使用量を減らすことができるものであったが、高設タンク５５や排水貯水槽５６、排水貯水槽用ポンプ５８、貯水タンク５７等を設ける必要があり、工事が大掛かりで多額の費用を必要とし、空間的に集合住宅では設置不能であった。
【００１３】
また、この浴槽５１の残り水再利用装置は、供給する残り水を一時的に集めておくための高設タンク５５や、排水貯水槽５６と排水貯水槽用ポンプ５８、貯水タンク５７等の装置がなければ、オーバーフローしてしまうし、供給先を自動で切換える方式にすることは難しい。
【００１４】
そして、浴槽５１の残り水が少なくなったとき、空運転を防ぐにためには水位を目視しなければならないから、基本的には自動で空運転を防止できないものであった。さらに、浴槽５１の残り水がなくなったときには、供給先で必要な使用量まで水道水で補わなければならないが、この水道水の補充への切換えが自動的にできないものであった。
【００１５】
そこで本発明は、排水を再利用し、水道水の使用量を大幅に減らすことができ、工事量が少なく安価で、残り水がなくなってもポンプの空運転を防止し、水道水への自動切換えが可能な排水再利用装置を提供することを目的とする。
【００１６】
【課題を解決するための手段】
以上説明した問題を解決するために本発明の排水再利用装置は、排水を吸い込んで供給先に供給するポンプと、ポンプに接続される第１供給路と、原水路に接続される第２供給路と、第１供給路と第２供給路が合流される合流路に接続され１以上の供給先にそれぞれ接続される供給先路を備え、第２供給路には電磁弁が設けられるとともに、ポンプには運転を制御する制御部が設けられ、排水が所定量以下になったことが検出されると、制御部がポンプの運転を停止し、電磁弁を開くことを特徴とする。
【００１７】
これにより、排水を再利用し、水道水の使用量を大幅に減らすことができ、工事量が少なく安価で、供給先の自動切換えが行なえ、残り水がなくなってもポンプの空運転を防止し、水道水への自動切換えが可能な排水再利用装置を提供することができる。
【００１８】
また、本発明の排水再利用装置は、排水を貯めることができる排水槽と、前記排水槽内の排水を吸い込んで供給先に供給するポンプと、前記ポンプと前記供給先を接続する排水供給路と、原水路と供給先を接続する原水供給路とを備え、前記原水供給路には電磁弁が設けられるとともに、前記ポンプには運転を制御する制御部が設けられ、前記排水槽内の排水が所定量以下になったことが検出されると、前記制御部が前記ポンプの運転を停止し、前記電磁弁を開く排水再利用装置であって、前記原水供給路には、前記電磁弁を迂回するバイパス路が設けられ、前記バイパス路には停電時にも操作可能な弁機構が設けられていることを特徴とする。
【００１９】
これにより、排水を再利用し、水道水の使用量を大幅に減らすことができ、工事量が少なく安価で、残り水がなくなってもポンプの空運転を防止し、水道水への自動切換えが可能な排水再利用装置を提供することができるだけでなく、停電時等に電磁弁が操作できなくなった場合であっても、前記弁機構を操作すれば、水道水の供給ができる。また、装置の構成が極めて簡単であるので、専門業者に依頼することなく、家庭用の１つのトイレや洗濯機等に簡単に設置することができる。
【００２０】
【発明の実施の形態】
本発明の請求項１に記載された発明は、排水を貯めることができる排水槽と、排水槽内の排水を吸い込んで供給先に供給するポンプと、ポンプに接続される第１供給路と、原水路に接続される第２供給路と、第１供給路と第２供給路が合流される合流路と、合流路に接続され１以上の供給先にそれぞれ接続される供給先路と、供給先路に設けられ供給先に応じて供給の有無と供給先路を選択できる供給先選択部を備えた排水再利用装置であって、第２供給路には電磁弁が設けられるとともに、ポンプには運転を制御する制御部が設けられ、排水槽内の排水が所定量以下になったことが検出されると、制御部がポンプの運転を停止し、電磁弁を開くことを特徴とする排水再利用装置であり、排水を利用できるため水道水の使用量を大幅に減らすことができ、高設タンクや複数のポンプを設ける必要がなく基本的に配管設備だけで工事量が少なく安価であり、残り水がなくなってもポンプの空運転を防止して、水道水への自動切換えが可能である。
【００２１】
本発明の請求項２に記載された発明は、合流路にはフロースイッチが設けられ、排水槽内の排水が所定量以下になったことを該フロースイッチによって検出することを特徴とする請求項１記載の排水再利用装置であり、残り水が所定量以下になったことをフロースイッチによって検出でき、きわめて容易に残り水が少なくなったことを検知してポンプの空運転を防止できる。
【００２２】
本発明の請求項３に記載された発明は、浴槽には水位を検出するレベルセンサが設けられ、排水槽内の排水が所定量以下になったことを該レベルセンサによって検出することを特徴とする請求項１記載の排水再利用装置であり、残り水が所定量以下になったことをレベルセンサによって検出でき、簡単且つ確実に残り水が少なくなったことを検知してポンプの空運転を防止できる。
【００２３】
本発明の請求項４に記載された発明は、合流路に定流量弁が設けられるとともに制御部にはタイマが設けられ、供給先に送る流量をタイマが検出する時間で算出することを特徴とする請求項１〜３のいずれかに記載の排水再利用装置であり、供給先に送る流量を簡単且つ確実に測定でき、供給先の自動切換えが可能になる。
【００２４】
本発明の請求項５に記載された発明は、供給先選択部が流路切換え弁であって、供給先路が指定できることを特徴とする請求項１〜４のいずれかに記載の排水再利用装置であり、供給先の自動切換えが容易に行なえる。
【００２５】
本発明の請求項６に記載された発明は、制御部からの入力で供給先路と供給順が指定可能であることを特徴とする請求項５記載の排水再利用装置であり、供給先の自動切換えが制御部からの入力で容易に行なえる。
【００２６】
本発明の請求項７に記載された発明は、第２供給路から分岐された給水管が設けられ、供給先路の少なくとも１以上の供給先に接続されていることを特徴とする請求項１〜６のいずれかに記載の排水再利用装置であり、給水管から原水を供給先路に直接供給することができる。
【００２７】
本発明の請求項８に記載された発明は、原水路に接続される第２供給路に水タンクが設けられたことを特徴とする請求項１〜７のいずれかに記載の排水再利用装置であり、水タンクに一旦貯めて空気に触れさせるために、嫌気的環境にすることがなく、未使用の状態が継続しても滞留した水の水質が悪化することがなく、衛生的な残り水再利用装置とすることができる。
【００２８】
本発明の請求項９に記載された発明は、給水管に水タンクが設けられたことを特徴とする請求項７または８に記載の排水再利用装置であり、給水管から原水を供給先路に直接供給するとき、未使用の状態が継続しても滞留した水の水質が悪化することがなく、衛生的な残り水再利用装置とすることができる。
【００２９】
本発明の請求項１０に記載された発明は、排水槽が１以上の槽から構成されたことを特徴とする請求項１〜９のいずれかに記載の排水再利用装置であり、排水源の位置やそれぞれの排水量を考慮して排水槽の配置とサイズの自由が確保でき、排水を残らず再利用でき、水資源を無駄にすることがない。
【００３０】
本発明の請求項１１に記載された発明は、槽にはポンプを設置した１以上の第１の槽と該第１の槽に接続されて使用される第２の槽とが含まれ、ポンプの吐出管がそれぞれ第１供給路に接続されていることを特徴とする請求項１０記載の排水再利用装置であり、ポンプの配置と容量、排水槽の配置とサイズの設計の自由度が確保できる。
【００３１】
本発明の請求項１２に記載された発明は、排水槽が１以上の排水源からの排水を貯めることができることを特徴とする請求項１〜１１のいずれかに記載の排水再利用装置であり、排水源が複数あるため水量を十分確保でき、排水を残らず再利用でき、水資源を無駄にすることがない。
【００３２】
本発明の請求項１３に記載された発明は、排水源が浴槽であることを特徴とする請求項１〜１１のいずれかに記載の排水再利用装置であり、浴槽の残り水を残らず再利用できる。
【００３３】
本発明の請求項１４に記載された発明は、排水槽を収容し、該浴槽の下部に排水槽を配設したユニットバスとして構成されたことを特徴とする請求項１３記載の排水再利用装置であり、排水槽と浴槽を配設したユニットバス構成とするため、据え付けが容易になる。
【００３４】
本発明の請求項１５に記載された発明は、排水源がシンクからの排水であることを特徴とする請求項１〜１１のいずれかに記載の排水再利用装置であり、台所のシンクからの排水を残らず再利用できる。
【００３５】
本発明の請求項１６に記載された発明は、１以上の槽が接続部を備えたユニット型の小タンクであることを特徴とする請求項１０〜１５のいずれかに記載の排水再利用装置であり、小タンクを接続して各槽を構成するため、排水源の位置やそれぞれの排水量を考慮して各槽の配置とサイズの自由が確保でき、排水を残らず再利用でき、水資源を無駄にすることがない。
【００３６】
本発明の請求項１７に記載された発明は、前記第２供給路に設けられた前記電磁弁を迂回するバイパス路が設けられ、前記バイパス路には停電時にも操作可能な弁機構が設けられていることを特徴とする請求項１〜１６のいずれかに記載の排水再利用装置であり、バイパス路に停電時にも操作可能な弁機構を設けているため、停電時等に電磁弁が操作できなくなった場合であっても、前記弁機構を操作すれば、水道水の供給ができるため、停電時等にもトイレや洗濯機を使用できる。
【００３７】
本発明の請求項１８に記載された発明は、前記第２供給路から分岐された給水管に設けられた電磁弁を迂回するバイパス路が設けられ、前記バイパス路には停電時にも操作可能な弁機構が設けられていることを特徴とする請求項７記載の排水再利用装置であり、請求項１７に記載された発明と同様に、バイパス路に停電時にも操作可能な弁機構を設けているため、停電時等に電磁弁が操作できなくなった場合であっても、前記弁機構を操作すれば、水道水の供給ができるため、停電時等にもトイレや洗濯機を使用できる。
【００３８】
本発明の請求項１９に記載された発明は、排水を貯めることができる排水槽と、前記排水槽内の排水を吸い込んで供給先に供給するポンプと、前記ポンプと前記供給先を接続する排水供給路と、原水路と供給先を接続する原水供給路とを備え、前記原水供給路には電磁弁が設けられるとともに、前記ポンプには運転を制御する制御部が設けられ、前記排水槽内の排水が所定量以下になったことが検出されると、前記制御部が前記ポンプの運転を停止し、前記電磁弁を開く排水再利用装置であって、前記原水供給路には、前記電磁弁を迂回するバイパス路が設けられ、前記バイパス路には停電時にも操作可能な弁機構が設けられていることを特徴とする排水再利用装置であり、バイパス路に停電時にも操作可能な弁機構を設けているため、停電時等に電磁弁が操作できなくなった場合であっても、前記弁機構を操作すれば、水道水の供給ができるため、停電時等にもトイレや洗濯機を使用できる。さらに、装置の構成が極めて簡単であるので、家庭用の１つのトイレや洗濯機等に簡単に設置することができ、家庭用としては最適である。
【００３９】
（実施の形態１）
本発明の実施の形態１における排水再利用装置について図面に基づき説明する。実施の形態１は排水源が浴槽で、浴槽の残り水を再利用する場合である。図１は本発明の実施の形態１における排水再利用装置の構成図である。
【００４０】
図１において、１は浴槽、１ａは浴槽１の側部に設けられ浴槽１内と連通している連通ポンプ室（本発明の排水槽を構成する第１の槽）、２は連通ポンプ室１ａ内に設置され浴槽１内の残り水を供給先に送るための水中ポンプ（本発明のポンプ）、３は温水洗浄できる水洗トイレ、３ａは水洗トイレ３の洗浄水を貯めるロータンク、３ｂは水洗トイレ３に設けられた温水洗浄ノズル、３ｃは温水洗浄ノズル３ｂから吐出する水を保温して貯めた温水タンク、４は洗濯機である。なお、４ａは洗濯機４が全自動洗濯機である場合の洗濯機４のコントローラであり、破線で示したのはこのような特定の場合であることを示している。水中ポンプ２としてはターボ型ポンプが好適である。ただ回転型等、ターボ型ポンプに限られるものではない。そして、本実施の形態１においては、水洗トイレ３の洗浄水として残り水を使い、温水タンク３ｃには水道水を使用する。このため温水洗浄ノズル３ｂへ供給する水は水道水となり衛生的である。さらに、水洗トイレ３自体の制御機能を利用して、お客など外部の人間が水洗トイレ３を利用するときなどには洗浄水を水道水に切り換えるといったことも可能である。
【００４１】
５は原水路である水道水供給管、５ａは浴槽１の上方に設けられて水道水を供給する二股蛇口、６ａは水中ポンプ２の吐出口に接続され、浴槽１内の残り水を水洗トイレ３や洗濯機４へ供給する供給管（本発明の第１供給路）、６ｂは浴槽１内の残り水がなくなったとき水道水を供給する供給管（本発明の第２供給路）、６ｃは供給管６ａ，６ｂが合流する合流管、６ｄは供給先管（本発明の供給先路）、６ｅは二股蛇口５ａから分岐され洗濯機４へ向かう供給管６ｄに接続される給水管、７は水道水を供給するときに開放され、浴槽１内の残り水が送られているときには閉止される供給管６ｂに設けられた電磁弁である。なお、供給先管６ｄの数は供給先の数に応じて増やすことができる。このとき給水管６ｅの数は少なくとも１以上となる。給水管６ｅは二股蛇口５ａとは別の水道水供給管を接続するのでもよい。そして実施の形態１においては給水管６ｅを２つに分岐して２箇所で供給管６ｄに接続しているが、これは洗濯機４にはすすぎ水が必要だからであり、しかも洗濯機４が全自動洗濯機かそれ以外のタイプかによってすすぎ水の供給方法が変わるため、これに対応できるように設けたものである。ただ後述するように、すすぎの水は電磁弁７を開くことによって二股蛇口５ａから給水することもできるから、給水管６ｅは必要に応じて適宜設置する。
【００４２】
続いて、８は合流管６ｃに設けられたフロースイッチ、９は合流管６ｃに設けられた定流量弁である。このフロースイッチ８がＯＮし、定流量弁９から所定の流量が吐出され始めると、後述のタイマ１２でその後の供給水の供給時間をカウントすることで供給先への供給流量が算出できる。なお、水中ポンプ２が駆動されている間は定流量弁９を通して残り水が送られ、残り水の送水が終了したときには引き続き二股蛇口５ａからの水道水が送水される。フロースイッチ８がＯＦＦした場合、これは水中ポンプ２が送る残り水が減少したことを意味するから、フロースイッチ８のＯＦＦにより浴槽１内の残り水が少なくなったことを検知できる。フロースイッチ８のＯＦＦで残り水の減少を検知するのに代えて、浴槽１内もしくは連通ポンプ室１ａ内の水位をレベルセンサで測定するのでもよい。
【００４３】
１０は複数の供給先を切換えるための流路切換弁（本発明の供給先選択部）、１１は水中ポンプ２の運転を制御するコントローラ（本発明の制御部）、１１ａは供給先管６ｄとその供給順を指定するためのコントローラ１１の入力部である。流路切換弁１０は、供給先が３方以上に増加したときには、３方切換弁以上のポートをもつ多方切換弁にする必要がある。さらに実施の形態１の供給先選択部として、上述した複数の供給先の切換えだけでなく、１の供給先への水の供給の有無を制御できる構成のものが好適である。また、コントローラ１１はマイクロコンピュータ等で構成され、メモリ部（図示しない）に格納されている制御プログラムを読み出して中央処理装置（ＣＰＵ）にロードし、水中ポンプ２、電磁弁７、流路切換弁１０の制御を行う。洗濯機４のコントローラ４ａも基本的に同様である。そして入力部１１ａはタッチパネル等で構成され、供給先をパネル上の表示を供給順に押すことにより、供給先管６ｄとその供給順の指定ができる。１２はコントローラ１１からの指令で残り水もしくは水道水が定流量弁９を通過する時間をカウントするタイマである。
【００４４】
１３ａ，１３ｂ，１３ｃ，１３ｄは逆流を防止するための逆止弁、１５ａは給水管６ｅの一方の分岐管に設けられた電磁弁、１５ｂは給水管６ｅの他方の分岐管に設けられた止水弁である。電磁弁１５ａは洗濯機４が全自動洗濯機の場合に洗濯機４のコントローラ４ａからの指示ですすぎ水を供給する。止水弁１５ｂは、全自動洗濯機のコントローラ４ａからの指示がない場合か、もしくはコントローラ４ａがあっても手動の設定を行った場合に、すすぎ水を手動で供給するためのものである。すべてのすすぎ水を手動で供給する場合には、止水弁１５ｂによればよく、電磁弁１５ａとこれを設置する分岐管を設ける必要はない。また、コントローラ４ａとコントローラ１１とを連携させて、電磁弁７と流路切換弁１０を動作させた場合は、電磁弁１５ａ、止水弁１５ｂ，給水管６ｅは不要となる。
【００４５】
次に、本実施の形態１の排水再利用装置を使用するときの動作について説明する。図２は本発明の実施の形態１における排水再利用装置の残り水供給フローチャートである。
【００４６】
排水再利用装置の使用者がコントローラ１１の入力部１１ａから水洗トイレ３、洗濯機４を供給先として希望の順に入力し（ｓｔｅｐ１）、スタートボタン（図示しない）を押すと（ｓｔｅｐ２）、コントローラ１１はメモリ部にこれらのデータを格納する。なお、このメモリ部には、予め、水洗トイレ３への必要供給流量、洗濯機４への必要供給流量が定流量弁９の設定流量と関連して供給時間の形で設定入力されている。
【００４７】
図２に示すようにコントローラ１１は水中ポンプ２の運転開始を指令する（ｓｔｅｐ３）。なお、フロースイッチ８の閾値として定流量弁９の吐出流量が設定されている。フロースイッチ８がＯＮすると（ｓｔｅｐ４）、コントローラ１１はタイマ１２にカウント開始を命じる（ｓｔｅｐ５）。その後、コントローラ１１はフロースイッチ８がＯＮしているか否かをチェックし（ｓｔｅｐ６）、Ｎｏの場合には水中ポンプ２の運転に停止し（ｓｔｅｐ７）、水道水を送るために電磁弁７をＯＮし（ｓｔｅｐ８）、ｓｔｅｐ６に戻る。上述のｓｔｅｐ６において、フロースイッチ８がＯＮしておりＹｅｓの場合には、タイマ１２がカウントアウトしたか否かがチェックされる（ｓｔｅｐ９）。タイマ１２がカウントアウトしておれば（Ｙｅｓ）、供給先に供給流量が送られたことを示すから、コントローラ１１は次の供給先がメモリ部に設定されているか否かをチェックする（ｓｔｅｐ１０）。タイマ１２がカウントアウトしていないとき（Ｎｏ）には、再度ｓｔｅｐ６に戻ってカウントアウトまでこれを繰り返す。
【００４８】
ｓｔｅｐ１０において次の供給先がメモリ部に格納されている場合には、コントローラ１１は合流管６ｃを設定されている次の供給先管６ｄ連通するように流路切換弁１０を切り換え（ｓｔｅｐ１１）、再びｓｔｅｐ５に戻ってタイマ１２をスタートさせる。ｓｔｅｐ１０において次の供給先がメモリ部に格納されていない場合には、電磁弁７がＯＮしているか否かがチェックされ（ｓｔｅｐ１２）、Ｙｅｓであれば電磁弁７を閉止する（ｓｔｅｐ１３）。電磁弁７がＯＮしているときには水中ポンプ２は既に停止されている。ｓｔｅｐ１２において電磁弁７がＯＦＦの場合、浴槽１の残り水を送るため水中ポンプ２が駆動されているから、この水中ポンプ２を停止する（ｓｔｅｐ１４）。水中ポンプ２が停止され、電磁弁７が閉止されたあとＥＮＤ処理される。
【００４９】
以上説明したように、本実施の形態１の排水再利用装置は、浴槽１の残り水を水中ポンプ２で供給先に送水できるため、水道水の使用量を大幅に減らすことができる。従来のように高設タンクや複数のポンプを設ける必要がなく、基本的に配管設備だけであるから工事量が少なく、装置は安価であり、工事に要する時間も少なくて済む。フロースイッチ８を使って残り水が低下したことを検知するから、きわめて簡単且つ正確に残り水の低下を検出できる。また、これによって残り水がなくなったとしても、水中ポンプ２の空運転を防止することができ、水道水への自動切り換えを円滑に行うことができる。コントローラ１１に入力するだけで供給先と供給順が簡単に指定できるし、使用者が側についていなくとも自動的に残り水から水道水に切り換えるから、使用者が供給先の機器を使うときには必要水量が常に確保されており、使い勝手の高い排水再利用装置とすることができる。そして、この残り水再利用装置によれば、水洗トイレ３や洗濯機４等に対して基本的に特別の装備や変更を加えることなく、残り水再利用装置だけですべての制御が可能になる。加えて、水道水が望ましい時期と場所には水道水を供給し、残り水の利用ができる時期と場所には残り水を望み通りに供給でき、水資源をもっとも有効に活用できる。
【００５０】
（実施の形態２）
実施の形態２の排水再利用装置は、実施の形態１で使用した流路切換弁に代えて、各供給先路においてコック等の止水弁を設けるものである。実施の形態２も排水源が浴槽で、浴槽の残り水を再利用する場合である。図３は本発明の実施の形態２における排水再利用装置の構成図である。実施の形態１で使用した符号と同一符号の構成は基本的に実施の形態１の構成と同一であるから、これらは詳細な説明は実施の形態１に譲って、特徴である各供給先路に設けた止水弁について説明する。
【００５１】
図３において、１は浴槽、２は水中ポンプ、３は水洗トイレ、４は洗濯機、５ａは二股蛇口、６ａ，６ｂは供給管、６ｃは合流管、６ｄは供給先管、６ｅは給水管、７は電磁弁、８はフロースイッチ、９は定流量弁、１１はコントローラ、１２はタイマ、１３ａ，１３ｂ，１３ｃ，１３ｄは逆止弁である。そして、１４ａ，１４ｂは各供給先管６ｄにそれぞれ設けられたコック等の止水弁（本発明の供給先選択部）、１５ｂは止水弁である。なおここで止水弁１５ｂを設けているのは、すべてのすすぎ水を手動で供給するためである。実施の形態１のように給水管６ｅに分岐管を設け、電磁弁を併設してもよい。
【００５２】
使用者は止水弁１４ａ，１４ｂをそれぞれ切り換えることにより、供給先への送水が可能になる。コントローラ１１により自動的に供給先を切り換えるのでなく、供給先ごとにタイマ１２で供給時間をカウントして送水を行う。
【００５３】
実施の形態２の排水再利用装置は、止水弁１４ａ，１４ｂを用い、コントローラ１１もシンプルにすることができ、全体的に安価なシステムとすることができる。
【００５４】
（実施の形態３）
実施の形態３の排水再利用装置は、実施の形態１で水道水を供給する供給管に水タンクを設けるものである。実施の形態１、２と同様、浴槽の残り水を再利用する場合である。図４は本発明の実施の形態３における排水再利用装置の構成図である。実施の形態１で使用した符号と同一符号の構成は基本的に実施の形態１の構成と同一であるから、これらは詳細な説明は実施の形態１に譲って、ここでは特徴である水タンクを中心に説明する。
【００５５】
図４において、１は浴槽、１ａは連通ポンプ室、２は水中ポンプ、３は水洗トイレ、３ａはロータンク、３ｂは温水洗浄ノズル、３ｃは温水タンク、４は洗濯機である。５は水道水供給管、５ａは二股蛇口、６ａ，６ｂは供給管、６ｃは合流管、６ｄは供給先管、６ｅは給水管、７は電磁弁である。８はフロースイッチ、９は定流量弁、１０は流路切換弁、１１はコントローラ、１１ａは入力部、１２はタイマである。１３ａ，１３ｂ，１３ｃ，１３ｄは逆止弁、１５ａは電磁弁、１５ｂは止水弁である。以上の構成は実施の形態１と同一である。
【００５６】
１６ａは水道水を一旦貯めて空気との接触を行う第１水タンク、同様に１６ｂは水道水を一旦貯めて空気との接触を行う第２水タンクである。第１水タンク１６ａ，第２水タンク１６ｂはいずれも本発明の水タンクである。続いて１７ａは第１水タンク１６ａと供給管６ｂを接続する導入管、１７ｂは第１水タンク１６ａと供給管６ａを接続する吐出管、１８ａは第２水タンク１６ｂと給水管６ｅを接続する導入管、１８ｂは第２水タンク１６ｂと供給先管６ｄを接続する吐出管である。第２水タンク１６ｂの導入管１８ａは、分岐された給水管６ｅとそれぞれ接続されるように二股に分岐されている。
【００５７】
本実施の形態３の排水再利用装置は、水道水を供給する場合、本実施の形態１の残り水再利用装置のように水道水の供給圧力で水洗トイレ３，洗濯機４に直接水を供給するのではなく、水道水の供給圧力で第１水タンク１６ａ，第２水タンク１６ｂに水道水を一旦貯めて、第１水タンク１６ａ，第２水タンク１６ｂのヘッド差（水頭）で第１水タンク１６ａ，第２水タンク１６ｂから供給管６ａ，供給先管６ｄに水道水を供給する。供給圧力は水位の設定でコントロールする。
【００５８】
このように本実施の形態３の排水再利用装置は、水道水を供給するとき、第１水タンク１６ａ，第２水タンク１６ｂに一旦貯めて空気に触れさせるために、嫌気的環境にすることがなく、未使用の状態が継続したときでも滞留した水の水質が悪化することがなく、衛生的な残り水再利用装置とすることができる。従来の高設タンクや貯水槽は残り水の余剰水を貯める必要があり、大容量でなければならないが、実施の形態３の水タンクは小容量のもので十分である。
【００５９】
（実施の形態４）
実施の形態４の排水再利用装置は、実施の形態２で水道水を供給する供給管に水タンクを設けるものである。この場合も浴槽の残り水を再利用する場合である。図５は本発明の実施の形態４における排水再利用装置の構成図である。実施の形態２で使用した符号と同一符号の構成は基本的に実施の形態２の構成と同一であり、同様に、実施の形態３で使用した水タンクの構成の符号と同一符号の構成は基本的に実施の形態３の水タンクの構成と同一であるから、これらは詳細な説明は実施の形態３に譲る。
【００６０】
図５において、１は浴槽、２は水中ポンプ、３は水洗トイレ、４は洗濯機、５ａは二股蛇口、６ａ，６ｂは供給管、６ｃは合流管、６ｄは供給先管、６ｅは給水管、７は電磁弁、８はフロースイッチ、９は定流量弁、１１はコントローラ、１２はタイマ、１３ａ，１３ｂ，１３ｃ，１３ｄは逆止弁である。そして、１４ａ，１４ｂは各供給先管６ｄにそれぞれ設けられたコック等の止水弁、１５ｂは止水弁である。
【００６１】
また、１６ａは第１水タンク、同様に１６ｂは第２水タンクである。１７ａは導入管、１７ｂは吐出管、１８ａは導入管、１８ｂは吐出管である。
【００６２】
本実施の形態４も、供給管６ａ，供給先管６ｄに供給する水道水は第１水タンク１６ａ，第２水タンク１６ｂのヘッド差（水頭）で供給する。供給圧力は水位の設定でコントロールする。これらは実施の形態３と同様である。
【００６３】
そして、本実施の形態４の排水再利用装置は、止水弁１４ａ，１４ｂを用い、コントローラ１１もシンプルにすることができ、全体的に安価なシステムにすることができる。これと同時に、水道水を供給するとき、第１水タンク１６ａ，第２水タンク１６ｂに一旦貯めて空気に触れさせるために、水質が悪化することがなく、衛生的な残り水再利用装置とすることができる。
【００６４】
（実施の形態５）
実施の形態５の排水再利用装置は、風呂の洗い場で排水された水を回収する付加タンクが設けられたものである。図６（ａ）は本発明の実施の形態５における排水再利用装置の構成図、図６（ｂ）は（ａ）の残り水再利用装置の洗い場の排水槽斜視図である。実施の形態３で使用した符号と同一符号の構成は基本的に実施の形態３の構成と同一であるから、これらは詳細な説明は実施の形態３に譲って、ここでは付加タンクを中心に説明する。
【００６５】
図６において、１は浴槽、１ａは連通ポンプ室（本発明の排水槽の一部を構成する第１の槽）、２は水中ポンプ、２ａは第２水中ポンプ（本発明の第２ポンプ）、３は水洗トイレ、３ａはロータンク、３ｂは温水洗浄ノズル、３ｃは温水タンク、４は洗濯機である。５は水道水供給管、５ａは二股蛇口、６ａ，６ｂは供給管、６ｃは合流管、６ｄは供給先管、６ｅは給水管、７は電磁弁である。８はフロースイッチ、９は定流量弁、１０は流路切換弁、１１はコントローラ、１１ａは入力部、１２はタイマである。１３ａ，１３ｂ，１３ｃ，１３ｄは逆止弁、１５ａは電磁弁、１５ｂは止水弁である。１６ａは第１水タンク、１６ｂは第２水タンクである。１７ａ，１８ａは導入管、１７ｂ，１８ｂは吐出管である。
【００６６】
１９は入浴室内に浴槽１を収容しユニット化されたユニットバス、２０は浴槽１を載置し洗い場から排水される水を貯める付加タンク（本発明の排水槽の他の一部を構成する第１の槽及び第２の槽の結合槽）、２０ａは付加タンク２０の上面でスノコ状に構成された洗い場タンク面、２０ｂは洗い場タンク面２０ａに形成された溝の中に設けられた多数の回収孔、２０ｃは洗い場タンク面２０ａに形成された第２水中ポンプ２ａの吐出管が挿通される吐出管孔、２０１は付加タンク２０を構成する小タンク（本発明の他の第１の槽）、２０２，２０３は付加タンク２０を構成する他の小タンク（本発明の第２の槽）である。洗い場タンク面２０ａ上で流されたお風呂の湯は多数の長溝に流れ込み、溝内の回収孔２０ｂから付加タンク２０内に回収される。２０ｄは、付加タンク２０を複数のユニット化された小タンク２０１、２０２，２０３を結合して使用するときにこれらを接続するための接続栓である。組合わせて付加タンク２０を構成すれば、ユニットバスの広さに応じて組合わせ方を変えることができる。２１は第２水中ポンプ２ａの吐出管である。吐出管２１は供給管６ａに接続される。
【００６７】
実施の形態５の排水再利用装置は、ユニットバスの下面に付加タンク２０を設け、この付加タンク２０の上面が洗い場となり、排水はすべて回収孔２０ｂから付加タンク内に回収される点に特徴がある。付加タンク２０が回収した排水で一杯となったときは図示しない排水孔からオーバーフローさせる。このように付加タンク２０を用いることにより、浴槽１で使用する水はすべて再利用でき、水資源をきわめて有効に利用することができる。
【００６８】
続いて浴槽１の残り水と排水の利用の仕方について説明する。残り水を利用するときには、コントローラ１１は入力部１１ａからの入力で供給先が水洗トイレ３か洗濯機４を確認する。水洗トイレ３の場合には、最初に第２水中ポンプ２ａに起動をかけて水洗トイレ３に付加タンク２０内の排水を供給する。付加タンク２０内の排水がなくなったことがフロースイッチ８により検出されたとき、コントローラ１１は水中ポンプ２を駆動して連通ポンプ室１ａ内の残り水を水洗トイレ３に供給し、これもすべてなくなったときに初めて水道水を供給するために電磁弁７を開く。また、洗濯機４の場合には、コントローラ１１は水中ポンプ２に起動をかけ、連通ポンプ室１ａ内の残り水を洗濯機４に供給し、これがすべて供給し終わったときに初めて電磁弁７を開き、水道水を供給するものである。
【００６９】
このように実施の形態５の排水再利用装置は、風呂で使用した水をほとんどすべてリサイクルでき、水資源の有効活用ができる。水洗トイレ３へは排水を供給するが、洗濯機４にはこれを供給せず、用途に応じて最も適切なリサイクルが行える。なお、残り水再利用装置の付加タンク２０は必ずしもユニットバス１９内に配置するタンクである必要はなく、普通のタンクを浴槽１脇に配置するので構わない。ユニットバス１９として構成する必要もない。また、付加タンク２０を固定式でなく移動可能なタンクとすれば、安価なタンクにすることができる。
【００７０】
（実施の形態６）
本発明の実施の形態６における排水再利用装置について図面に基づき説明する。実施の形態６は排水源が浴槽と流し台のシンクで、浴槽の残り水のほかにシンクからの排水を再利用する場合である。図７（ａ）は本発明の実施の形態１における排水再利用装置の構成図、図７（ｂ）は（ａ）の残り水再利用装置の排水槽斜視図である。
【００７１】
図７において、１は浴槽、２ｂは水中ポンプ、３は水洗トイレ、３ａはロータンク、３ｂは温水洗浄ノズル、３ｃは温水タンク、４は洗濯機である。５は水道水供給管、５ａは二股蛇口、６ａ，６ｂは供給管、６ｃは合流管、６ｄは供給先管、６ｅは給水管、７は電磁弁である。８はフロースイッチ、９は定流量弁、１０は流路切換弁、１１はコントローラ、１１ａは入力部、１２はタイマである。１３ａ，１３ｂ，１３ｃ，１３ｄは逆止弁、１５ａは電磁弁、１５ｂは止水弁である。１６ａは第１水タンク、１６ｂは第２水タンクである。１７ａ，１８ａは導入管、１７ｂ，１８ｂは吐出管である。
【００７２】
図７（ａ）に示すように、実施の形態６では水中ポンプ２ｂだけを使っており、浴槽１内の残り水と洗い場からの排水はすべて後述の集合タンク２３内に貯めて再利用している。しかし、実施の形態５と同様に浴槽１内に連通ポンプ室１ａを設置し、水中ポンプ２を設けて、この水中ポンプ２と水中ポンプ２ｂとで２系統の排水供給源とするのでもよい。
【００７３】
２２は台所等の流し台、２２ａは流し台２２のシンク、２２ｂはシンク２２ａから炊事等の排水を後述する集合タンク２３に導く導水路、２２ｃは導水路２２ｂに排水を導入するように切換えるレバー付きの切換え弁である。２３は浴槽１の洗い場から排水とシンク２２ａからの排水を貯めることができる集合タンク（本発明の排水槽）、２３１，２３２，２３３，２３４は集合タンク２３を構成するユニット型の小タンク、２３ａは小タンク２３１の上面でスノコ状に構成された洗い場タンク面、２３ｂは小タンク２３２，２３３，２３４に形成された回収孔、２３ｃは小タンク２３２に設置された水中ポンプ２ｂの吐出管が挿通される吐出管孔である。２３ｄは小タンク２３２，２３３，２３４の上面に形成された切込み溝、２３ｅはオーバーフローした水を排水できる排水孔、２３ｆ１，２３ｆ２は小タンク２３１，２３２，２３３，２３４の接続部を構成する挿入管、２３ｇはシンク２２ａからの排水を導く導水路２２ｂを接続するシンク排水接続孔である。
【００７４】
小タンク２３１，２３２，２３３，２３４は挿入管２３ｆ１，２３ｆ２を嵌合させることにより接続され、組み合わされて集合タンク２３を構成する。また、小タンク２３２，２３３，２３４の上面は平面状に形成されているが、切込み溝２３ｄが設けられ、回収孔２３ｃに向って切り込み深さが増すようにテーパがついており、洗い場からの排水は切込み溝２３ｄに沿って回収孔２３ｃにガイドされ、集合タンク２３に回収される。
【００７５】
シンク２２ａから排水するときは、切換え弁２２ｃを切換えて排水を導水路２２ｂから小タンク２３４に回収する。小タンク２３４は小タンク２３１，２３２，２３３と連通されており、浴槽１の残り水と集合されて貯められる。集合タンク２３内に貯められた排水は、水中ポンプ２ｂによって水洗トイレ３等で再利用される。
【００７６】
実施の形態６の排水再利用装置は、風呂と台所で使用した水をほとんどすべてリサイクルでき、水資源の有効活用ができる。排水源はさらに増すことができる。ユニット型の小タンク２３１，２３２，２３３，２３４を組み合わせることにより集合タンク２３を構成するため、タンクの拡張がきわめて容易である。
【００７７】
（実施の形態７）
実施の形態７の排水再利用装置は、大規模施設用ではなく家庭用のトイレや洗濯機用として好適に適用できるよう装置の構成を簡単にし、しかも、停電時等に電磁弁が操作できなくなった場合であっても、給水を可能とするものである。図８は本発明の実施の形態７における排水再利用装置の構成図である。実施の形態１で使用した符号と同一符号の構成は基本的に実施の形態１の構成と同一であるから、これらは詳細な説明は実施の形態１に譲る。
【００７８】
図８において、１は浴槽、２は水中ポンプ、３は水洗トイレ、３ａはロータンクである。水中ポンプ２とロータンク３ａにはそれぞれ水センサ２４，２５が取り付けられている。水中ポンプ２とロータンク３ａは排水供給路２６で接続されており、この排水供給路２６には、エアタンク２７と流動センサ２８と電磁弁２９と逆止弁３０が設けられている。流動センサ２８は流動スイッチによって代替することができる。
【００７９】
一方、３１は、水道水供給管である原水路（図示せず）と接続されロータンク３ａに水道水を供給する原水供給路である。原水供給路３１には、電磁弁３２が設けられ、さらに、電磁弁３２を迂回するバイパス路３３が設けられている。バイパス路３３には、停電時にも操作可能な弁機構として手動バルブ３４が設けられている。手動バルブ３４は、内部電池付きの電磁弁で代替することできる。要するに、バイパス路３３には、停電時にも操作可能な弁機構を設ければよい。また、原水供給路３１とロータンク３ａとの接続部には通常のボールタップ３５が設けられている。
【００８０】
１１は、水中ポンプ２の運転等を制御するコントローラである。コントローラ１１は、水センサ２４，２５及び流動センサ２８からのセンサ信号を受けて、水中ポンプ２及び電磁弁２９，３２を制御する。
【００８１】
以上の構成において、ロータンク３ａ内の水位が下がって水センサ２５が作動すると、排水供給路２６側の電磁弁２９が開放される。これにともない、エアタンク２７からの圧力により排水供給路２６内に水流が発生し、流動センサ２８が作動する。この流動センサ２８が作動し、かつ、水中ポンプ２の水センサ２４が排水があることを検知すると、水中ポンプ２が作動する。水中ポンプ２が作動しているときには原水供給路側の電磁弁３２は閉止状態となるように設定されており、水道水は供給されない。
【００８２】
その後、ロータンク３ａ内の水センサ２５が満水を検知すると水中ポンプ２は停止する。一方、ロータンク３ａ内の水センサ２５が満水を検知しなくても、水中ポンプ２の水センサ２４によって排水がないことが検知されると、水中ポンプ２は停止する。水中ポンプ２が停止すると、排水供給路２６側の電磁弁２９は閉止され、原水供給路側の電磁弁３２は開放される。排水供給路２６側の電磁弁２９が閉止されるのにともない、エアタンク２７に排水が浸入しエアタンク２７の圧力があがる。この圧力は、次に電磁弁２９が開放したときに排水供給路２６内に水流を発生させるための圧力となる。一方、原水供給路側の電磁弁３２が開放されると、水道水がロータンク３ａに供給される。この水道水の供給量は、ポールタップ３５によって制御される。すなわち、ロータンク３ａ内が満水でない場合には、ボールタップ３５は作動しないので水道水が供給され、満水になるとボールタップ３５が作動するので、水道水の供給は停止される。
【００８３】
以上のように、本実施の形態７では、電磁弁２９と３２が反対の動作をすることによって、浴槽１の残り水を水中ポンプ２で供給先に送水でき、浴槽１の残り水が無くなったときには水道水を供給する。ただし、停電等のトラブルによって電磁弁２９，３２等が操作できなくなると、電磁弁２９，３２を介した送水ができなくなる。この場合、バイパス路３３に設けた手動バルブ３４を手動で開ける。これによって、水道水がバイパス路３３を介してロータンク３ａに供給されるので、停電時等であってもトイレが使えなくなるという不具合が生じることはない。
【００８４】
なお、本実施の形態７において、入浴中は水中ポンプ２のみの電源を切り、浴槽１の残り水を使わないようにする。
【００８５】
以上説明した本実施の形態７では、原水供給路３１に停電時対応のバイパス路３３を設け、バイパス路３３に手動バルブ３４を設けたが、このようなバイパス路機構は、先に説明した他の実施の形態における水道水（原水）の供給経路にも適用可能である。例えば、図７に示した実施の形態６において、電磁弁７を迂回して第１水タンク１６ａと合流管６ｃを直結するバイパス路、及び、電磁弁１５ａを迂回して第２水タンク１６ｂと供給先管６ｄを直結するバイパス路を設け、それぞれのバイパス路に手動バルブを設けることができる。このようにすれば、実施の形態６の排水再利用装置を、停電時にも供給先（水洗トイレ３、洗濯機４）への水道水の供給が可能なものとすることができる。
【００８６】
【発明の効果】
本発明の排水再利用装置によれば、排水を利用できるため水道水の使用量を大幅に減らすことができ、高設タンクや複数のポンプを設ける必要がなく基本的に配管設備だけで工事量が少なく安価であり、残り水がなくなってもポンプの空運転を防止して、水道水への自動切換えが可能である。
【００８７】
また、残り水が所定量以下になったことをフロースイッチによって検出でき、きわめて容易に残り水が少なくなったことを検知してポンプの空運転を防止できる。残り水が所定量以下になったことをレベルセンサによって検出でき、簡単且つ確実に残り水が少なくなったことを検知してポンプの空運転を防止できる。供給先に送る流量を簡単且つ確実に測定でき、供給先の自動切換えが容易に行なえる。さらに、供給先の自動切換えが制御部からの入力で容易に行なえる。
【００８８】
そして、水洗トイレや洗濯機等に対して基本的に特別の装備や変更を加えることなく、本発明の残り水再利用装置だけですべての制御が可能になる。加えて、水道水が望ましい時期と場所には水道水を供給し、残り水の利用ができる時期と場所には残り水を望み通りに供給でき、水資源をもっとも有効に活用できる。
【００８９】
また、水タンクに一旦貯めて空気に触れさせるために、未使用の状態が継続しても滞留した水の水質が悪化することがなく、衛生的な残り水再利用装置とすることができる。
【００９０】
排水槽が１以上の槽から構成されたため、排水源の位置やそれぞれの排水量を考慮して排水槽の配置とサイズの自由が確保でき、排水を残らず再利用でき、水資源を無駄にすることがない。
【００９１】
ポンプを設置した１以上の第１の槽とこれと接続されて使用される第２の槽とを有し、ポンプの吐出管がそれぞれ第１供給路に接続されているから、ポンプの配置と容量、排水槽の配置とサイズの設計の自由度が確保できる。
【００９２】
１以上の排水源からの排水を再利用するので、水量を十分確保でき、排水を残らず再利用でき、水資源を無駄にすることがない。排水源が浴槽の場合、浴槽の残り水を残らず再利用できる。排水槽と浴槽を配設したユニットバス構成とした場合、据え付けが容易になる。排水源がシンクからの排水の場合、台所のシンクからの排水を残らず再利用できる。
【００９３】
接続部を備えたユニット型の小タンクを接続して各槽を構成すため、排水源の位置やそれぞれの排水量を考慮して各槽の配置とサイズの自由が確保でき、排水を残らず再利用でき、水資源を無駄にすることがない。
【００９４】
原水を供給する供給経路に、そこに設置された電磁弁を迂回するバイパス路を設け、バイパス路に停電時にも操作可能な弁機構を設けたので、停電時等に電磁弁が操作できなくなった場合であっても供給先への給水が可能となり、停電時等に不具合が生じることがない。
【図面の簡単な説明】
【図１】本発明の実施の形態１における排水再利用装置の構成図
【図２】本発明の実施の形態１における排水再利用装置の残り水供給フローチャート
【図３】本発明の実施の形態２における排水再利用装置の構成図
【図４】本発明の実施の形態３における排水再利用装置の構成図
【図５】本発明の実施の形態４における排水再利用装置の構成図
【図６】（ａ）本発明の実施の形態５における排水再利用装置の構成図
（ｂ）（ａ）の排水再利用装置の洗い場タンク面斜視図
【図７】（ａ）本発明の実施の形態６における排水再利用装置の構成図
（ｂ）（ａ）の残り水再利用装置の排水槽斜視図
【図８】本発明の実施の形態７における排水再利用装置の構成図
【図９】従来の排水再利用装置の構成図
【符号の説明】
１，５１  浴槽
１ａ  連通ポンプ室
２，２ｂ  水中ポンプ
２ａ  第２水中ポンプ
３，５３  水洗トイレ
３ａ，５９  ロータンク
３ｂ  温水洗浄ノズル
３ｃ  温水タンク
４，５２  洗濯機
４ａ，１１  コントローラ
５  水道水供給管
５ａ  二股蛇口
６ａ，６ｂ  供給管
６ｃ  合流管
６ｅ  給水管
６ｄ  供給先管
７，１５ａ  電磁弁
８  フロースイッチ
９  定流量弁
１０  流路切換弁
１１ａ  入力部
１２  タイマ
１３ａ，１３ｂ，１３ｃ，１３ｄ  逆止弁
１４ａ，１４ｂ，１５ｂ  止水弁
１６ａ  第１水タンク
１６ｂ  第２水タンク
１７ａ，１８ａ  導入管
１７ｂ，１８ｂ  吐出管
１９  ユニットバス
２０  付加タンク
２０ａ，２３ａ  洗い場タンク面
２０ｂ，２３ｂ  回収孔
２０ｃ，２３ｃ  吐出管孔
２０ｄ  接続栓
２１  吐出管
２２  流し台
２２ａ  シンク
２２ｂ  導水路
２２ｃ  切換え弁
２３  集合タンク
２３１，２３２，２３３，２３４  小タンク
２３ｄ  切込み溝
２３ｅ  排水孔
２３ｆ１，２３ｆ２  挿入管
２３ｇ  シンク排水接続孔
２４，２５  水センサ
２６  排水供給路
２７  エアタンク
２８  流動センサ
２９  電磁弁
３０  逆止弁
３１  原水供給路
３２  電磁弁
３３  バイパス路
３４  手動バルブ
３５  ボールタップ
５４  風呂用ポンプ
５５  高設タンク
５６  排水貯水槽
５７  貯水タンク
５８  排水貯水槽用ポンプ
６０  タイマースイッチ
【図１】
2004204664.tif 000003
【図２】
2004204664.tif 000004
【図３】
2004204664.tif 000005
【図４】
2004204664.tif 000006
【図５】
2004204664.tif 000007
【図６】
2004204664.tif 000008
【図７】
2004204664.tif 000009
【図８】
2004204664.tif 000010
【図９】
2004204664.tif 000011